(57)【要約】      （修正有）【課題】使用者に開封部の位置に関する情報を与え、さらには、開封しやすい吸収性物品の個包装体を提供すること。【解決手段】吸収性物品の個包装体であって、粘着層を非肌当接面に有する吸収性物品と、剥離シートを内表面に有し、前記吸収性物品を包装する個包装シートと、前記個包装シートの長手方向の端縁部と、もう一方の端縁部とが重なり合って形成される開封部２４と、前記剥離シートの一端が、前記開封部２４から前記吸収性物品の長手方向に向けて露出する露出部と、を含むことを特徴とする吸収性物品の個包装体。【選択図】図１
2014147481.tif 000002
【特許請求の範囲】
【請求項１】
吸収性物品の個包装体であって、
粘着層を非肌当接面に有する吸収性物品と、
前記粘着層を保護する剥離シートを内表面に有し、前記剥離シートは前記吸収性物品を包装する個包装シートと剥離不能に固着されて、前記吸収物品の長手方向に直角方向に３つ折り又は２つ折りされ、
前記個包装シートの幅方向の両端縁部が熱シールにて接合され、
前記個包装シートの長手方向の端縁部と、もう一方の端縁部とが重なり合って形成される開封部と、
前記剥離シートの一端が、前記開封部から前記吸収性物品の長手方向に向けて露出する露出部と、
を含むことを特徴とする吸収性物品の個包装体。
【請求項２】
前記露出部の先端が、前記吸収性物品の個包装体の長手方向後ろ側の端縁部である後端縁部の折り目の内側にあることを特徴とする請求項１に記載の吸収性物品の個包装体。
【請求項３】
前記露出部は、前記剥離シートの一端を、前記粘着層から延伸することにより形成されることを特徴とする請求項１または２に記載の吸収性物品の個包装体。
【請求項４】
前記露出部が、着色、図柄あるいは文字の表記又は凹凸加工により表面加工されていることを特徴とする請求項１ないし３のいずれかに記載の吸収性物品の個包装体。
【発明の詳細な説明】
【技術分野】
【０００１】
本発明は、生理用ナプキン、パンティライナー、尿とりパッド、ライナー等の吸収性物品の個包装体に関する。
【背景技術】
【０００２】
生理用ナプキン等の吸収性物品は、通常、衛生的に保管、使用するために、個包装シートにより、１個ずつ個別に包装されている。
【０００３】
下着に装着するタイプの吸収性物品の個包装体は、一般に、吸収性物品の非肌当接面に配置した粘着層と、前記粘着層を保護する為に個包装シートの内表面に配置した剥離シートとを前記個包装シートに固着することにより、吸収性物品と個包装シートが一体となり、吸収性物品本体の長手方向と直角方向に３つ折り又は２つ折りされ、個包装シートの両側端縁部を熱シールにて固着して、形成されている。
【０００４】
また、吸収性物品の個包装体の開封部は、吸収性物品と個包装シートが折り畳まれて、個包装シートの長手方向の端縁部と、もう一方の端縁部とが重なり合って形成されている。この開封部には、止着テープの基端部を個包装シートの端縁部に固定し、止着テープの自由端側を、一方の端縁部に隣接する個包装シートの表面に剥離可能に接着したもの（例えば、特許文献１、図５（ａ））や、熱シールで開封部を接着したもの、あるいは、止着テープや熱シールによる接着をしないものが考えられている。
【０００５】
吸収性物品の使用者は、吸収性物品の個包装体の開封部や止着テープをつまんで個包装体を開封する。そして、使用者が吸収性物品を取り出す際、個包装シートに固着された剥離シートは、個包装シートと一体的にめくられて、吸着性物品の粘着層が露出するため、該吸収性物品を下着に貼りつけて、使用することができる。
【０００６】
こうした吸収性物品の個包装体の開封部に関して、例えば、特許文献２には、吸収性物品とこれを個装する包装材とからなる吸収性物品の包装構造において、上記包装材は、その長手方向の一方の端部に凸部を有し、且つ他方の端部に該凸部と嵌合可能に形成された凹部を有しており、また、少なくとも上記凸部にエンボス加工が施されており、上記包装材は、上記凸部が包装構造の表面に位置するように、上記吸収性物品を個装している、ことを特徴とする吸収性物品の包装構造の発明が開示されている。
【０００７】
また、特許文献３には、パーソナルケア製品であって、少なくとも１つの自由縁を有する少なくとも１つのラップ材と、  前記ラップ材の中に配置された少なくとも１つのパーソナルケア物品と、前記ラップ材の前記少なくとも１つの自由縁の位置についての明確な指示を与える少なくとも１つの感覚的表示と、を含むパーソナルケア製品の発明が開示されている。
【先行技術文献】
【特許文献】
【０００８】
【特許文献１】特開２０００−０７９９６３号公報
【特許文献２】特開平０９−０５８７５９号公報
【特許文献３】特表２００７−５２１１１７号公報
【発明の概要】
【発明が解決しようとする課題】
【０００９】
しかしながら、個包装シートの端縁部に貼着された止着テープは、一般的に、小さく形成するので、つまみにくく、吸収性物品本体を取り出すのが困難であるという問題があった。また、開封部に止着テープを設けない形式の場合、開封部がわかりにくい上、やはり、開封部の一端がつまみにくいという問題があった。
【００１０】
また、開封部の位置情報を示すために、開封部を形成する個包装シートの長手方向の端縁部と、もう一方の端縁部とで、異なる色や図柄といった表示記号を付与することは、単に、個包装体に美的外観を与えるために、個包装シートに色や該表示記号５を付与した従来の吸収性物品の個包装体（図５（ｂ））と比較して、十分な効果があるとはいえなかった。
【００１１】
さらに、開封部の位置情報を示す別の方法として、開封部の形状を、波型や三角形に加工したとしても、従来採用されてきた薄く柔軟な個包装シートの材質により、開封部と開封部近傍の個包装シート間で、触覚的な違いが感じ取りにくく、その効果は大きいとはいえなかった。
【００１２】
そして、トイレ等の比較的暗い空間で吸収性物品の開封作業を行おうとすると、吸収性物品に対する視認性の低さが加わり、さらにこの動作は困難であった。
【００１３】
そこで、本発明の目的は、上記課題を解決するために、使用者に開封部の位置に関する情報を与え、さらには、開封し易い吸収性物品の個包装体を提供することにある。
【課題を解決するための手段】
【００１４】
本発明は、以下の構成によって把握される。
（１）本発明の吸収性物品の個包装体は、粘着層を非肌当接面に有する吸収性物品１と、
粘着層を保護する剥離シートを内表面に有し、前記剥離シートは吸収性物品１を包装する個包装シートと剥離不能に固着されて、前記吸収物品の長手方向に直角方向に３つ折り又は２つ折りされ、前記個包装シートの幅方向の両端縁部が熱シールにて接合され、前記個包装シートの長手方向の端縁部と、もう一方の端縁部とが重なり合って形成される開封部と、前記剥離シートの一端が、前記開封部から前記吸収性物品の長手方向に向けて露出する露出部と、を含むことを特徴とする。
【００１５】
この構成によれば、吸収性物品を個包装シートから剥離し易く、かつ、開封部の位置が、触覚的にも知覚し易いため、使用者に利便性を有する。
【００１６】
（２）本発明の吸収性物品の包装体では、前記露出部の先端が、前記吸収性物品の個包装体の長手方向後ろ側の端縁部である後端縁部の折り目の内側にあることを特徴とする。
【００１７】
この構成によれば、複数の吸収性物品の個包装体を収納袋内に納める際、個包装体から露出部が折り曲げられることなくスムーズに収納することができる。
【００１８】
（３）本発明の吸収性物品の個包装体では、（１）または（２）の構成において、前記露出部は、前記剥離シートの一端を、前記粘着層から延伸することにより形成されることを特徴とする。
【００１９】
この構成によれば、開封時に、開封部を過剰にひっぱり、余計な力が働くことに起因する剥離シートや個包装体の破損が生じにくくなる。
【００２０】
（４）本発明の吸収性物品の個包装体では、（１）ないし（３）のいずれか１つの構成において、前記露出部が、着色、図柄あるいは文字の表記又は凹凸加工により表面加工されていることを特徴とする。
【００２１】
この構成によれば、開封部の位置が、さらに視覚的、触覚的に知覚し易くなる。
【発明の効果】
【００２２】
本発明によれば、使用者に開封部の位置に関する情報を与え、さらには、開封し易い吸収性物品の個包装体を提供することができる。
【図面の簡単な説明】
【００２３】
【図１】この発明に係る吸収性物品の個包装体の概略図。
【図２】図１に示す吸収性物品の個包装体における、個包装体の開封部を開封した状態の斜視図。
【図３】図１に示す吸収性物品の個包装体における、開封した状態の概略図。
【図４】図１に示す吸収性物品の個包装体における、Ａ−Ａ断面図。
【図５】従来の吸収性物品の個包装体を示す概略図。
【発明を実施するための形態】
【００２４】
本発明の吸収性物品の個包装体の好ましい実施の形態（以下、実施形態という）を、以下に詳細に説明する。なお、以下に述べる実施形態では、本発明の好適な具体例として種々の限定がされているが、本発明の範囲は、以下の説明において特に本発明を限定する旨の記載がない限り、これらの態様に限られるものではない。
【００２５】
本発明における吸収性物品１の個包装体１０の一形態について、図１ないし図４にて説明する。図１に示す吸収性物品１の個包装体１０は、吸収性物品１とこれを個包装する個包装シート２とからなる。
【００２６】
吸収性物品１は、肌と接触する側から順に、液透過性のトップシート（図示せず）、液保持性の吸収体（図示せず）、液不透過性のバックシート（図示せず）が重ねて配置されている。また、バックシートには、下着と接触する面に粘着層（図示せず）が設けられている。
【００２７】
個包装シート２の内表面には、吸収性物品１の粘着層を保護するために、個包装シート２と接着剤にて剥離不能にされた状態で、剥離シート３が設けられている。非肌当接面に設けられた粘着層と、個包装シート２の内表面に固定された剥離シート３とは、着脱自在に粘着させてなる。
【００２８】
吸収性物品１の個包装体１０は、図４に示すように、吸収性物品１と個包装シート２との積層体を、吸収性物品１の長手方向と直角方向に３つ折り又は２つ折りの状態で、個包装シート２の両側縁部が熱シールにて接合し、包装されている。
【００２９】
開封部２４は、個包装シート２の長手方向の端縁部と、もう一方の端縁部とが重なり合って形成されている。ここで、各端縁部を、それぞれ吸収性物品１の長手方向の前側の端縁部である前端縁部２２、後ろ側の端縁部である後端縁部２３と呼ぶ。また、開封部２４近傍の個包装シート２の前端部２２と後端部２３は、長手方向と直角方向にライン上のホットメルト接着剤を塗布して封止していてもよい。この構成によれば、吸収性物品の内部にゴミやチリが混入せず、衛生状態を良好に保つことができる。
【００３０】
露出部６は、剥離シート３の延在する一端部が、吸収性物品の個包装体１０の開封部２４より、表面に露出することにより形成されている。これより、使用者は、視覚的及び触覚的に露出部６を認識し、開封部２４の位置を容易に判断することができ、露出部６をつまみあげて、個包装シート２の前端部２２を開封する。そして、個包装シート２の後端部２３をつまみあげて個包装体をさらに展開する。個包装シート２の展開後、使用者は露出部６を把持しつつ、吸収性物品１を個包装シート２から剥離する。この開封作業により、個包装シート２に固着された剥離シート３は、個包装シート２と一体的にめくられて、吸収性物品１の粘着層が露出するので、使用者は吸収性物品１を下着に貼りつけて、使用することができる。
【００３１】
本発明の吸収性物品１としては、特に制限はないが、例えば、紙おむつ、生理用ナプキン、パンティライナー、軽失禁パッド、ライナー等をあげることができる。また、吸収性物品１を構成するトップシート、吸収体、バックシート、粘着層に関して、構成成分及び位置等は、特に限定されず、適宜選択することができる。
【００３２】
本発明の個包装シート２は、紙、樹脂フィルム、不織布といった薄くかつ柔軟な基材から形成されている。かかる樹脂フィルムとしては、例えば、ポリエステル、ポリビニルアルコール、ポリエチレン、ポリプロピレン、ポリエチレンとポリプロピレンの複合フィルム等があげられる。また、かかる不織布は、製法を特に限定せず、例えば、スパンボンドやメルトブロー不織布、あるいは、スパンボンド／メルトブロー、スパンボンド／メルトブローン／スパンボンドを積層した複合不織布及びこれらの複合材料があげられる。また、強度および加工性の点から、個包装シート２の坪量は、１５〜３０ｇ／ｍ２程度であることが好ましい。さらに、個包装シート２の開封部２４近傍に、着色または文字・図柄といった表示記号５の印刷を行うことも好ましい。着色方法及び印刷方法は、公知の方法を制限なく行うことができる。このような加工は、同時に複数付与することもできる。
【００３３】
本発明の剥離シート３としては、剥離シート３の基材に剥離剤を塗布したものが好ましく用いられる。剥離シート３の基材は、特に制限はないが、例えば、紙、合成樹脂フィルム、不織布等を基材として用いることができる。かかる合成樹脂フィルム及び不織布としては、個包装シート２の基材において、材料例としたものがあげられる。剥離剤は、特に限定はないが、例えば、熱硬化性あるいはＵＶ（紫外線）硬化性のシリコーン系樹脂、フッ素系樹脂、イソシアネート系樹脂をあげることができる。また、強度および加工性の点から、剥離シート３の坪量は、３０〜５０ｇ／ｍ２程度であることが好ましい。
【００３４】
剥離シート３の基材は、個包装シート２と同じ材料を用いても、異なる材料であっても、特に制限なく用いることができるが、触覚的に両者の差異を認識できるように、個包装シート２の基材と異なる基材であることが望ましい。また、視覚的な情報を与える機能性を備えるべく、剥離シート３の基材の色を、個包装シートとは異なる色を選択することが好ましい。剥離シート３に対して、個包装シート２から視認できるような文字・図柄といった表示記号５の印刷を行うことも好ましい。
【００３５】
本発明の露出部６は、剥離シート３の一端を、開封部２４から吸収性物品１の長手方向に向けて露出することにより形成される。露出部６は、粘着層を一体的に覆う剥離シート３の基材に、別の基材を貼り付けて形成しても、剥離シート３の一端を、粘着層から延伸することにより形成してもよいが、開封時に、開封部２４を過剰にひっぱり、余計な力が働くことに起因する剥離シート３や吸収性物品の個包装体１０の破損を生じにくくするため、剥離シート３の一端を、粘着層から延伸することが好ましい。
【００３６】
露出部６には、凹凸加工をすることが好ましい。凹凸加工の方法としては、例えば、エンボス加工や、開孔処理、表面の摩擦係数を引き上げる加工等があげられる。また、凹凸部分の形状は、円形、楕円形、台形、波形、球体、台形、錐体、溝状等をあげることができる。エンボス加工や、開孔処理は、公知の方法を制限なく行うことができる。そして、表面の摩擦係数を引き上げる方法としては、例えば、剥離シート３の基材に、高摩擦材を塗工した部材を、ホットメルト等の接着剤により個包装シート２の表面に固着する方法や、剥離シート３に高摩擦材を直接塗工する方法があげられる。また、凹凸加工と同様に、露出部に着色または文字・図柄のような表示記号の印刷を行うことも好ましい。着色方法及び印刷方法は、公知の方法を制限なく行うことができる。このような加工は、同時に複数付与することもとできる。
【００３７】
露出部６の長手方向の長さについて、特に制限はないが、露出部は、個包装体の開封時には開封部２４の把持部として機能し、さらに個包装シート２の展開後は、個包装シート２と吸収性物品１の剥離時にも把持部として機能する為、指先で保持し易い大きさとして、長手方向の長さを１０ｍｍ以上とすることが好ましい。また、複数の吸収性物品の個包装体１０を収納袋内に納める際、吸収性物品の個包装体１０から露出部６を折り曲げることなくスムーズに収納させるため、露出部の先端６１が、後端縁部の折り目２５の内側にあることが好ましい（図４（ｂ））。
【００３８】
露出部の幅方向６２の長さについて、剥離シート３の幅と略同じとなるよう形成したり、個包装シート２の幅の一部分に形成したりすることができる。露出部６を形成する際の簡便性の点から、剥離フィルム３の幅と略同じとなるよう形成することが好ましい。
【実施例】
【００３９】
以下の実施例により、本発明をさらに具体的に説明する。なお、本発明はその要旨を超えない限り、以下の実施例の記載に限定されるものではない。
【００４０】
[実施例１] 
吸収性物品として、軽失禁用吸収パッドを用いた。軽失禁用吸収パッドのバックシートには、下着と接触する面に粘着層を設けた。個包装シートは、基材として、スパンボンド不織布（坪量２０ｇ／ｍ２）を用いた。剥離シートは、基材として紙を用い、長手方向に１８０ｍｍ、幅方向を軽失禁用吸収パッドの粘着層と略同一となるよう、４２ｍｍにカットした。剥離剤（シリコーン系樹脂）を塗布後、加熱乾燥して薄い皮膜を形成させることにより、剥離シート基材にコーティングした。剥離シートと個包装シートとがホットメルト接着剤にて剥離不能に固着された状態で、軽失禁用吸収パッドと個包装シートは長手方向と直角方向に３つ折りした。その後、個包装シートの両側端縁部を、熱シールにて固着して、吸収性物品の個包装体を作成した。吸収性物品の長手方向の長さは１４５ｍｍ、幅方向の長さは６５ｍｍ、個包装シートの長手方向の長さは１５５ｍｍ、幅方向の長さは８９ｍｍであり、露出部の長手方向の長さは３０ｍｍ、幅方向の長さは４２ｍｍとした。また、露出部の先端は、吸収性物品の個包装体の後端縁部の折り目の内側に存在した。
【００４１】
（官能評価）
成人女性（３０代〜６０代）２０名に、各サンプルの吸収性物品の個包装体を開封し、吸収性物品を取り出す操作を行わせた。（１）開封し易さ、（２）剥離シートからの剥離容易性の２点について、「（ａ）実行し易い」、「（ｂ）どちらでもない」、「（ｃ）実行しにくい」のいずれかの難易度の評価を選択させた。（a）の評価が１８〜２０人のときを「◎」、１３〜１７人のときを「○」、（a）の評価が８〜１２人のときを「△」、（a）の評価が０〜７人のときを「×」で表示した。
【００４２】
［実施例２］、［実施例３］、［比較例１］
実施例２、実施例３及び比較例１において、表１に示す組成で、剥離シートの露出部の長さを調製し、実施例１と同様にして、個包装シートを製造した後、吸収性物品として軽失禁用パッドを包装し、官能評価を行った。その結果を表１に示す。
【００４３】
【表１】
2014147481.tif 000003
【００４４】
開封し易さについて、実施例２は、露出部の長手方向の長さが実施例１及び３よりも短いため、開封する際に手でつまむ部分（把持部）が小さく、低い評価になったと考えられる。また、剥離シートの露出部を形成していない比較例１は、把持部となる部分がないため、開封部の位置を判断する材料が、開封部である前縁部と後端部の隙間を視覚、または手探りで探し当てることとなり、開封作業の容易性は、いっそう低くなったと考えられる。
【００４５】
剥離シートからの剥離容易性については、露出部の形成された実施例１〜３と比較すると、比較例１の剥離シートからの剥離容易性は低い評価となった。また、露出部に表面加工を行っていない実施例１より、エンボス加工を行った実施例３がより評価が高くなった。
【００４６】
以上、実施形態を用いて本発明を説明したが、本発明の技術範囲は上記実施形態に記載の範囲に限定されないことは言うまでもない。上記実施形態に、多様な変更または改良を加えることが可能であることが、当業者には明らかである。また、その様な変更または改良を加えた形態も本発明の技術範囲に含まれ得ることが、特許請求の範囲から明らかである。
【符号の説明】
【００４７】
１      吸収性物品
１０    吸収性物品の個包装体
２      個包装シート
２１    側端縁部
２２    前端縁部
２３    後端縁部
２４    開封部
２５    後端縁部の折り目
３      剥離シート
４      止着テープ
５      表示記号
６      露出部
６１    露出部の先端
６２    露出部の幅方向
【図１】
2014147481.tif 000004
【図２】
2014147481.tif 000005
【図３】
2014147481.tif 000006
【図４】
2014147481.tif 000007
【図５】
2014147481.tif 000008